(57)【要約】【課題】撮影装置の使用者が要望する構図での撮影を支援することができる撮影支援システムを提供する。【解決手段】構図情報取得部１２は、利用者端末９０から構図情報Ｃｍｒを取得する。構図適合撮影条件取得部１３は、過去に撮影されたストック画像とその撮影条件とを、対応付けて保存している撮影画像ＤＢ５１にアクセスして、ストック画像の中から構図に適合する画像である構図適合画像を抽出し、構図適合画像と対応付けられた撮影条件である構図適合撮影条件を取得する。構図適合撮影条件情報提供部１４は、構図適合撮影条件を示す構図適合撮影条件情報を、利用者端末９０に送信する。【選択図】図１
2020161055.tif 000002
【特許請求の範囲】
【請求項１】
利用者により使用される利用者端末から、撮影対象の構図に関する情報である構図情報を取得する構図情報取得部と、
過去に撮影されたストック画像と前記ストック画像の撮影条件とを、対応付けて保存している撮影画像データベースにアクセスして、前記ストック画像の中から前記構図に適合する画像である構図適合画像を抽出し、前記構図適合画像と対応付けられた前記撮影条件である構図適合撮影条件を取得する構図適合撮影条件取得部と、
前記構図適合撮影条件を示す構図適合撮影条件情報を、前記利用者端末に送信する構図適合撮影条件情報提供部と
を備える撮影支援システム。
【請求項２】
前記構図情報取得部は、前記構図により撮影された参考画像、撮影対象物、及び撮影対象物の色のうちの少なくともいずれか一つを含む前記構図情報を、前記利用者端末から取得する
請求項１に記載の撮影支援システム。
【請求項３】
前記構図適合撮影条件取得部は、前記構図適合画像の撮影地点と撮影時点とを含む前記構図適合撮影条件を取得し、
前記構図適合撮影条件情報提供部は、前記構図適合画像の撮影地点と撮影時点とを含む前記構図適合撮影条件を示す前記構図適合撮影条件情報を、前記利用者端末に送信する
請求項１又は請求項２に記載の撮影支援システム。
【請求項４】
前記構図適合撮影条件取得部は、前記ストック画像の前記撮影条件に含まれる撮影地点と撮影時点を参照して、撮影地点が同一で撮影時点が異なる複数の前記構図適合画像を抽出し、
前記構図適合撮影条件情報提供部は、前記構図適合撮影条件取得部により抽出された、撮影地点が同一で撮影時点が異なる複数の前記構図適合画像を、前記利用者端末に送信する
請求項３に記載の撮影支援システム。
【請求項５】
前記構図適合撮影条件に含まれる前記構図適合画像の撮影地点を通行する車両に対して、前記構図適合画像の撮影地点での撮影を依頼するための撮影依頼情報を送信する撮影依頼部を備える
請求項３又は請求項４に記載の撮影支援システム。
【発明の詳細な説明】
【技術分野】
【０００１】
本発明は、撮影支援システムに関する。
【背景技術】
【０００２】
従来、撮影対象及びその撮影対象が撮影されたときの撮影ポイントに関する履歴情報をサーバーに記憶し、撮影装置から送信される撮影装置の現在地情報をサーバーが受信する撮影支援方法が提案されている（例えば、特許文献１参照）。上記撮影支援方法において、サーバーは、撮影装置の現在地付近から撮影可能な撮影対象とその撮影対象を撮影するための現在地付近の好適な撮影ポイントの情報を、撮影装置に送信する。
【先行技術文献】
【特許文献】
【０００３】
【特許文献１】特開２００５−４５３９８号公報
【発明の概要】
【発明が解決しようとする課題】
【０００４】
上記撮影支援方法によれば、撮影装置の使用者は、現在地付近の撮影対象の情報を取得することができる。しかしながら、使用者が、現在地付近の撮影対象ではなく、漠然と思い描いている構図にマッチした撮影をしたいと考える場合もあり、上記撮影支援方法では、この要望に応えることができない。
本発明はかかる背景に鑑みてなされたものであり、撮影装置の使用者が要望する構図での撮影を支援することができる撮影支援システムを提供することを目的とする。
【課題を解決するための手段】
【０００５】
上記目的を達成するための態様として、利用者により使用される利用者端末から、撮影対象の構図に関する情報である構図情報を取得する構図情報取得部と、過去に撮影されたストック画像と前記ストック画像の撮影条件とを、対応付けて保存している撮影画像データベースにアクセスして、前記ストック画像の中から前記構図に適合する画像である構図適合画像を抽出し、前記構図適合画像と対応付けられた前記撮影条件である構図適合撮影条件を取得する構図適合撮影条件取得部と、前記構図適合撮影条件を示す構図適合撮影条件情報を、前記利用者端末に送信する構図適合撮影条件情報提供部とを備える撮影支援システムが挙げられる。
【０００６】
上記撮影支援システムにおいて、前記構図情報取得部は、前記構図により撮影された参考画像、撮影対象物、及び撮影対象物の色のうちの少なくともいずれか一つを含む前記構図情報を、前記利用者端末から取得する構成としてもよい。
【０００７】
上記撮影支援システムにおいて、前記構図適合撮影条件取得部は、前記構図適合画像の撮影地点と撮影時点とを含む前記構図適合撮影条件を取得し、前記構図適合撮影条件情報提供部は、前記構図適合画像の撮影地点と撮影時点とを含む前記構図適合撮影条件を示す前記構図適合撮影条件情報を、前記利用者端末に送信する構成としてもよい。
【０００８】
上記撮影支援システムにおいて、前記構図適合撮影条件取得部は、前記ストック画像の前記撮影条件に含まれる撮影地点と撮影時点を参照して、撮影地点が同一で撮影時点が異なる複数の前記構図適合画像を抽出し、前記構図適合撮影条件情報提供部は、前記構図適合撮影条件取得部により抽出された、撮影地点が同一で撮影時点が異なる複数の前記構図適合画像を、前記利用者端末に送信する構成としてもよい。
【０００９】
上記撮影支援システムにおいて、前記構図適合撮影条件に含まれる前記構図適合画像の撮影地点を通行する車両に対して、前記構図適合画像の撮影地点での撮影を依頼するための撮影依頼情報を送信する撮影依頼部を備える構成としてもよい。
【発明の効果】
【００１０】
上記撮影支援システムによれば、構図適合撮影条件取得部は、利用者端末から取得された構図情報により示される構図と適合する構図適合画像を抽出して、構図適合画像の撮影条件である構図適合撮影条件を取得する。そして、構図適合撮影条件情報提供部により、構図適合撮影条件が利用者端末に送信される。利用者は、利用者端末により受信された構図適合撮影条件情報を確認することにより、要望する構図での撮影に適合した適合撮影条件を認識して、撮影を行うことができる。
【図面の簡単な説明】
【００１１】
【図１】撮影支援システムの構成、及び撮影支援システムによる撮影支援の態様の説明図。
【図２】撮影画像データベースの説明図。
【図３】撮影支援システムによる撮影支援処理のフローチャート。
【発明を実施するための形態】
【００１２】
［１．撮影支援システムの構成］
図１を参照して、本実施形態における撮影支援システム１の構成と、撮影支援システム１による撮影支援の態様について説明する。撮影支援システム１は、ＣＰＵ（Central Processing Unit）１０、メモリ３０、及び通信部４０等により構成されたコンピュータシステムである。ＣＰＵ１０は、メモリ３０に保存された撮影支援システム１の制御用プログラム３１を読み込んで実行することにより、利用者登録部１１、構図情報取得部１２、構図適合撮影条件取得部１３、構図適合撮影条件情報提供部１４、及び撮影依頼部１５として機能する。
【００１３】
利用者登録部１１は、撮影支援システム１による撮影支援のサービスの利用を希望する利用者による登録申請を受付けて、利用者の情報を利用者ＤＢ（data base）３２に記録する。登録申請は、撮影支援システム１により提供されて、利用者により使用される利用者端末で実行される撮影支援アプリ（アプリケーションプログラム）を、利用者が起動して登録手続きをすることによって行われる。
【００１４】
利用者ＤＢ３２には、利用者に対して発行された利用者ＩＤ（identification）、利用者端末の通信アドレス、サービスの利用料の請求先等が記録されている。構図情報取得部１２、構図適合撮影条件取得部１３、構図適合撮影条件情報提供部１４、及び撮影依頼部１５による処理については、後述する。
【００１５】
図１では、撮影支援システム１が、車両１００に乗車した利用者Ｕにより使用される利用者端末９０との間で通信を行うことにより、利用者Ｕが思い描いている構図７０による撮影を支援する態様を例示している。利用者端末９０は、タッチパネル９１とカメラ９２とを備えている。
【００１６】
構図７０は、山７２を背景として湖７１が手前に位置している構図となっている。車両１００は、車両１００の作動を制御するＥＣＵ（Electronic Control Unit）１０１、図示しないＧＰＳ（Global Positioning System）を有して、目的地までの経路案内等を行うナビゲーション装置１０２、車両１００の前方を撮影するカメラ１０３、及び表示器１０４を備えている。利用者Ｕによる撮影は、利用者端末９０に備えられたカメラ９２、車両１００に備えられたカメラ、或いは利用者Ｕが所持する他のカメラによって行われる。
【００１７】
撮影支援システム１は、通信部４０を介して、画像管理サーバー５０、及び利用者端末９０との間で通信を行う。画像管理サーバー５０は、画像管理サーバー５０に撮影画像を送信する協力車両の情報が記録された協力車両ＤＢ５２と、協力車両により撮影された画像であるストック画像と、ストック画像の撮影条件とが対応付けて記録された撮影画像ＤＢ５１とを備えている。
【００１８】
図１では、２台の協力車両１１０、１２０を示している。協力車両１１０は、通信機能を有して協力車両１１０の作動を制御するＥＣＵ１１１、ナビゲーション装置１１２、カメラ１１３、及び表示器１１４を備えている。協力車両１２０も、協力車両１１０と同様に、ＥＣＵ１２１、ナビゲーション装置１２２、カメラ１２３、及び表示器１２４を備えている。
【００１９】
協力車両１１０は、走行中にカメラ１１３により随時撮影を行って、撮影した画像と撮影条件を含む画像情報Ｉｍｉ１を、画像管理サーバー５０に送信する。撮影条件には、撮影地点、撮影時点、撮影時の天候、カメラ設定（シャッター速度、絞り、ホワイトバランス等）が含まれる。協力車両１２０も、同様にして、画像情報Ｉｍｉ２を画像管理サーバー５０に送信する。図１では、撮影地点ＳＰで撮影された山２０１と湖２００とを含む風景ＳＣの画像を含む画像情報Ｉｍｉ１，Ｉｍｉ２が、画像管理サーバー５０に送信される。
【００２０】
画像管理サーバー５０は、各協力車両から送信された画像情報Ｉｍｉを受信して、画像情報Ｉｍｉに含まれる画像と撮影条件を関連付けて撮影画像ＤＢ５１に記録する。図２に示したように、撮影画像ＤＢ５１には、各画像について、管理Ｎｏ．５１ａ、ストック画像（過去に撮影された画像）５１ｂ、構図キーワード５１ｃ、撮影地点５１ｄ、撮影時点５１ｅ、撮影時の天候５１ｆ、及びカメラ設定５１ｇが記録されている。
【００２１】
構図キーワード５１ｃは、画像データ５１ｂから抽出された風景の撮影対象物（山、湖、木々等の自然物、建造物等）のジャンルが記録される。撮影地点５１ｄは、撮影地点の地名、景勝名、位置（緯度、経度）等が記録される。図２では、同一の撮影地点（ＸＸ湖付近）において、異なる時点で撮影された３つの画像とその撮影条件が記録されている場合を例示している。
【００２２】
また、画像管理サーバー５０は、撮影支援システム１から撮影依頼情報を受信したときに、撮影依頼情報により指定された撮影地点を通行する協力車両を抽出し、抽出した協力車両に対して、撮影を要請する撮影要請情報Ｐｈｃを送信する。画像管理サーバー５０は、各協力車両から随時送信される各協力車両の現在位置情報を受信して、各協力車両の現在位置を認識している。そして、画像管理サーバー５０は、各協力車両の現在位置を参照して、撮影依頼情報により指定された撮影地点を通行する協力車両を抽出する。
【００２３】
図１では、協力車両１２０が、撮影要請情報Ｐｈｃを受信して指定された撮影地点ＳＰで撮影を行い、撮影情報Ｉｍｉ２を画像管理サーバー５０に送信する態様を例示している。協力車両１２０での撮影は、ＥＣＵ１２１の処理により行ってもよく、協力車両１２０の乗員の操作により行ってもよい。
【００２４】
［２．撮影支援処理］
図３に示したフローチャートに従って、図１に示した状況において、撮影支援システム１により実行される処理について説明する。図３のステップＳ１で、構図情報取得部１２は、利用者端末９０から構図情報Ｃｍｒを受信する。構図情報Ｃｍｒは、構図の見本として利用者端末９０に入力された参考画像であってもよく、構図を表現するキーワード（例えば、「山、湖、紅葉」）や文（例えば、「紅葉の山々を背景にした湖」）であってもよい。文が入力された場合、構図情報取得部１２は、ＡＩ（Artificial Intelligence）等を用いた構文解析によって、利用者Ｕが思い描いている構図のキーワードや撮影対象の配置を認識する。
【００２５】
続くステップＳ２で、構図適合撮影条件取得部１３は、画像管理サーバー５０の撮像画像ＤＢ５１にアクセスして、ストック画像の中から、構図情報Ｃｍｒにより認識された構図に適合した画像である、構図適合画像を探索する。構図適合撮影条件取得部１３は、構図情報Ｃｍｒが参考画像であるときは、参考画像との相関度が所定レベル以上であるストック画像を、構図適合画像として抽出する。また、構図適合撮影条件取得部１３は、構図情報がキーワード或いは文であるときには、キーワード或いは文から認識された構図内容と、図２に示した構図キーワード５１ｃが一致又は類似するストック画像を、構図適合画像として抽出する。
【００２６】
次のステップＳ３で、構図適合撮影条件取得部１３は、構図適合画像が抽出されたときはステップＳ４に処理を進め、構図適合画像が抽出されなかったときにはステップＳ１０に処理を進める。ステップＳ１０で、構図適合撮影条件取得部１３は、構図適合画像が見つからなかったことを示す「該当画像無し」の通知情報を、利用者端末９０に送信する。
【００２７】
ステップＳ４で、構図適合撮影条件情報提供部１４は、構図適合画像と、構図適合画像の撮影条件である構図適合撮影条件を示す構図適合撮影条件情報とを、利用者端末９０に送信する。構図適合画像と構図適合撮影条件情報とを受信した利用者端末９０は、タッチパネル９１に、構図適合画像と構図適合撮影条件情報とを表示する。
【００２８】
これにより、利用者Ｕは、構図適合画像を視認して、自身が思い描いていた構図と合致しているか否かを判断する。そして、合致している場合、利用者Ｕは、構図適合撮影条件により示される撮影地点に撮影時点と同じ時期に行くことで、自身が思い描いていた構図通りの画像を撮影することができる。
【００２９】
また、構図適合撮影条件情報提供部１４は、構図適合撮影条件取得部１３により、複数の構図適合画像が抽出されたときには、複数の構図適合画像とその撮影条件とを、利用者端末９０に送信する。図２の例では、同一の撮影地点（ＸＸ湖付近）において異なる時点でされた三つの構図適合画像（Ｐｃｔ００１＿ｄａｔ、Ｐｃｔ００２＿ｄａｔ、Ｐｃｔ００３＿ｄａｔ）とその撮影条件とが、利用者端末９０に送信される。これにより、利用者Ｕは、異なる時期の画像を比較して、撮影に行く時期を決めることができる。
【００３０】
続くステップＳ５〜Ｓ７は、撮影依頼部１５による処理である。撮影依頼部１５は、ステップＳ５で、利用者端末９０から、構図適合画像の撮影地点での撮影を要請する撮影要請情報を受信したか否かを判断する。そして、撮影依頼部１５は、撮影要請情報を受信したときはステップＳ６に処理を進め、撮影要請情報を受信しなかったときにはステップＳ８に処理を進める。
【００３１】
ステップＳ６で、撮影依頼部１５は、画像管理サーバー５０に対して、構図適合画像の撮影地点での撮影（リアルタイムでの撮影）を依頼する撮影依頼情報を送信する。撮影依頼情報を受信した画像管理サーバー５０は、上述したように、構図適合画像の撮影地点付近を通行する協力車両（図１の例では、協力車両１２０）に対して、構図適合画像の撮影地点での撮影を要請する撮影要請情報Ｐｈｃを送信する。
【００３２】
そして、撮影要請情報をＰｈｃを受信した協力車両１２０は、撮影地点ＳＰを通行する際に、カメラ１２３による撮影を行って、撮影画像情報Ｉｍｉ２を画像管理サーバー５０に送信する。撮影画像情報Ｉｍｉ２を受信した画像管理サーバー５０は、撮影画像情報Ｉｍｉ２に含まれる風景ＳＣの画像と撮影情報を撮影画像ＤＢ５１に記録すると共に、撮影支援システム１に送信する。
【００３３】
続くステップＳ７で、撮影依頼部１５は、画像管理サーバー５０から送信された撮影地点ＳＰでのリアルタイムの画像と撮影条件を含むリアルタイムの画像情報を、利用者端末９０に送信する。リアルタイムの画像情報を受信した利用者端末９０は、撮影地点ＳＰのリアルタイムの画像をタッチパネル９１に表示し、この表示を確認することによって、利用者Ｕは、撮影地点ＳＰの現在の様子を知ることができる。
【００３４】
［３．他の実施形態］
上記実施形態において、撮影支援システム１は、利用者Ｕが所持する利用者端末９０との間で通信を行って、構図適合撮影条件情報を利用者端末９０に送信した。他の構成として、撮影支援システム１と車両１００のＥＣＵ１０１との間で通信を行って、構図適合撮影条件情報をＥＣＵ１０１に送信するようにしてもよい。この場合は、ＥＣＵ１０１が本発明の利用者端末に相当し、ＥＣＵ１０１は、構図適合撮影条件情報を車両１００に備えられた表示器１０４に、構図適合撮影条件を表示する。
【００３５】
上記実施形態において、撮影支援システム１は、撮影依頼部１５を備えて、構図適合画像の撮影地点でのリアルタイムの撮影画像を利用者端末９０に送信したが、撮影依頼部１５を省略した構成としてもよい。
【００３６】
上記実施形態では、撮影画像ＤＢ５１と協力車両ＤＢ５２を、画像管理サーバー５０に備えた構成を示したが、撮影画像ＤＢ５１と協力車両ＤＢ５２の一方又は両方を、撮影支援システム１に備えた構成としてもよい。
【００３７】
上記実施形態では、構図適合撮影条件取得部１３は、同一の撮影地点において異なる時点に撮影された複数の構図適合画像を抽出し、構図適合撮影条件情報提供部１４は、抽出された複数の構図適合画像を利用者端末９０に送信した。このように、撮影時点が異なる複数の構図適合画像の抽出を行わずに、例えば、参考画像との相関度が最も高いストック画像を構図適合画像として抽出する、或いは参考画像との相関度が所定レベル以上であるストック画像を、構図適合画像として抽出してもよい。
【００３８】
なお、図１、本願発明の理解を容易にするために、撮影支援システム１の機能構成を、主な処理内容により区分して示した概略図であり、撮影支援システム１の機能構成を、他の区分によって構成してもよい。また、各構成要素の処理は、１つのハードウェアユニットにより実行されてもよいし、複数のハードウェアユニットにより実行されてもよい。また、図１に示した各構成要素の処理は、１つのプログラムにより実行されてもよいし、複数のプログラムにより実行されてもよい。
【符号の説明】
【００３９】
１…撮影支援システム１、１０…ＣＰＵ、１１…利用者登録部、１２…構図情報取得部、１３…構図適合撮影条件取得部、１４…構図適合撮影条件情報提供部、１５…撮影依頼部、３０…メモリ、３１…制御用プログラム、３２…利用者ＤＢ、５０…画像管理サーバー、５１…撮影画像ＤＢ、５２…協力車両ＤＢ、９０…利用者端末、９１…タッチパネル、９２…カメラ、１００…車両、１０１…ＥＣＵ、１０２…ナビゲーション装置、１０３…カメラ、１０４…表示器、１１０，１２０…協力車両、Ｕ…利用者、ＳＰ…構図適合撮影条件による撮影地点。
【図１】
2020161055.tif 000003
【図２】
2020161055.tif 000004
【図３】
2020161055.tif 000005